(57)【特許請求の範囲】
【請求項１】
軒樋の排水部に曲がっている接続部材を介して縦樋を接続した軒樋の排水構造であって、縦樋及び曲がっている接続部材内に縦樋や接続部材よりも径の小さい弾性を有する内管を挿入し、縦樋及び曲がっている接続部材の内面と弾性を有する内管の外面との間に軒樋の排水部から流れる通水用の隙間を形成し、軒樋の排水部に軒樋の底部よりも上方に突出するごみ除け部を設け、このごみ除け部の側部に一次排水口を設けると共に、ごみ除け部の上端部に二次排水口を設け、該二次排水口をガイド筒で構成し、前記内管の軒樋側の端部を軒樋の底部よりも上方に突出させ、該内管の上端部をガイド筒の下端部に被嵌させて、内管をガイド筒に接続して成ることを特徴とする軒樋の排水構造。
【発明の詳細な説明】
【０００１】
【発明の属する技術分野】
本発明は、寒冷地において冬場に縦樋や接続部材内の内部で水が凍結膨張して縦樋や接続部材が破損するのを防止するための技術に関するものである。
【０００２】
【従来の技術】
従来から軒樋に接続部材を介して縦樋を接続したものにおいて、寒冷地では冬場に縦樋や接続部材内の内部で水が凍結膨張して縦樋や接続部材が破損するという問題がある。このため、縦樋や接続部材の内部で水が凍結膨張して縦樋や接続部材が破損するのを防止するために、縦樋や接続部材内にヒータを入れて、縦樋や接続部材内で冬場に凍結しないようにしているが、コストが高くつき、また、水と接触する部分にヒータを入れるため、安全性の点で問題があった。
【０００３】
また、従来にあっては、軒樋の排水部が落葉などで詰まると、軒樋から縦樋に排水できず、軒樋の上端から雨水がオーバーフローして外に溢れてしまうという問題があった。
【０００４】
【発明が解決しようとする課題】
本発明は上記の点に鑑みてなされたものであり、ヒータを用いることなく、簡単な構成で、寒冷地において冬場に縦樋や接続部材が破損しないようにでき、また、通常使用においても、軒樋の排水部が落葉などで詰まった場合でも、スムーズに排水ができて、軒樋から雨水がオーバーフローするのを防止できる軒樋の排水構造を提供することを課題とするものである。
【０００５】
【課題を解決するための手段】
上記課題を解決するために本発明に係る軒樋の排水構造は、軒樋１の排水部２に曲がっている接続部材４を介して縦樋３を接続した軒樋１の排水構造であって、縦樋３及び曲がっている接続部材４内に縦樋３や接続部材４よりも径の小さい弾性を有する内管５を挿入し、縦樋３及び曲がっている接続部材４の内面と弾性を有する内管５の外面との間に軒樋３の排水部２から流れる通水用の隙間を形成し、軒樋１の排水部２に軒樋１の底部よりも上方に突出するごみ除け部６を設け、このごみ除け部６の側部に一次排水口７を設けると共に、ごみ除け部６の上端部に二次排水口８を設け、該二次排水口８をガイド筒１９で構成し、前記内管５の軒樋１側の端部を軒樋１の底部１ａよりも上方に突出させ、該内管５の上端部をガイド筒１９の下端部に被嵌させて、内管５をガイド筒１９に接続して成ることを特徴とするものである。
【０００６】
このような構成とすることで、寒冷地において冬期に縦樋３や曲がっている接続部材４内で水が凍結して膨張しても、縦樋３や曲がっている接続部材４内において弾性を有する内管５が弾性変形して、凍結による膨張を吸収することができることになる。また、内管５は弾性を有しているので、接続部材４が曲がっているにもかかわらず内管５を変形させて簡単に挿入することができるものである。
【０００７】
また、内管５の軒樋１側の端部を軒樋１の底部１ａよりも上方に突出させることで、軒樋１の排水部２から排水される雨水は通常時は内管５の上端部の外面と排水部２の内縁部との間から接続部材４及び縦樋１内に排水されるが、排水部２が落葉などで詰まった場合は、排水部２よりも上方に突出した内管５の上開口から内管５内に排水されることになる。
【０００８】
また、軒樋１の排水部２に軒樋１の底部１ａよりも上方に突出するごみ除け部６を設け、このごみ除け部６の側部に一次排水口７を設けると共に、ごみ除け部６の上端部に二次排水口８を設け、該二次排水口８に内管５の端部を接続することで、通常時はごみ除け部６によりごみ除けをしながら一次排水口７から接続部材４及び縦樋３に排水されるが、一次排水口７が落ち葉などで詰まった場合は、軒樋１内で水位が上がって、二次排水口８から二次排水口８に接続した内管５に排水されるものである。
【０００９】
【発明の実施の形態】
以下、本発明を添付図面に示す実施形態に基づいて説明する。
【００１０】
軒樋１は取付金具１６により建物の軒先部１７に取付けてあり、軒樋１の底部１ａの任意の位置には排水部２となる排水孔が形成してあり、この排水部２にはドレイン部材１０が取付てあり、この排水部２に取付たドレイン部材１０にエルボ１１や呼び樋等の曲がっている接続部材４が接続してあり、接続部材４に縦樋３が接続してある。
【００１１】
ドレイン部材１０は上鍔１２とごみ除け部６を有する内筒体１３と、下鍔１４を有する外筒体１５とで構成してあり、軒樋１の排水部２を構成する排水孔に上方より内筒体１３を挿入し、軒樋１の底部１ａの下方から内筒体１３に外筒体１５を螺合して接合することで、軒樋１の底部１ａを上下より上鍔１２と下鍔１４とで挟持することで取付けてある。
【００１２】
内筒体１３の上部に設けられたごみ除け部６は上鍔１２の周囲部から上方に複数の腕部１８を突設し、複数の腕部１８の上端部をガイド筒１９の外周部に一体に接合して構成してあり、腕部１８間が一次排水口７を構成しており、ガイド筒１９が二次排水口８を構成している。
【００１３】
本発明においては、上記のように軒樋１の排水部２に縦樋３を接続部材４を介して接続した軒樋１の排水構造において、縦樋３及び接続部材４内に縦樋３や接続部材４よりも径の小さい弾性を有する内管５を挿入する構成とすることに特徴があり、また、内管５の軒樋１側の端部を軒樋１の底部１ａよりも上方に突出させる構成とすることに特徴がある。
【００１４】
すなわち、図１乃至図３に示す実施形態においては、ゴム製あるいは弾性を有する柔軟な合成樹脂製等の弾性を有する内管５を接続部材４及び縦樋３内に挿入すると共に、二次排水口８を構成するガイド筒１９の下端部に内管５の上端部を被嵌して接続してある。このように、縦樋３及び接続部材４内に縦樋３や接続部材４よりも径の小さい弾性を有する内管５を挿入すると、添付図面に示すように、樋３及び曲がっている接続部材４の内面と弾性を有する内管５の外面との間に軒樋３の排水部２から流れる通水用の隙間が形成される。
【００１５】
また、図４乃至図６に示す参考例では、内管５の上端部に係止部９を形成し、この上端部に係止部９を有するゴム製あるいは弾性を有する柔軟な合成樹脂製等の弾性を有する内管５を、二次排水口８を構成するガイド筒１９に上方から挿入し、内管５を接続部材４及び縦樋３内に挿入し、更に、内管５の上端部の係止部９を二次排水口８の上開口縁に係止してある。
【００１６】
ところで、上記実施形態及び参考例のいずれにおいても、内管５を接続部材４、縦樋３に挿入するに当たって、内管５は前述のように弾性を有しているので、図に示すように接続部材４が曲がっているにもかかわらず内管５を変形させて簡単に挿入することができるものであり、このように曲がっていても簡単に挿入できるので、内管５として途中に継ぎ目のない構造とすることができて、水漏れなどの心配のないものとすることができるものである。
【００１７】
しかして、上記実施形態及び参考例のいずれにおいても、通常時には、ごみ除け部６でごみ除けをして一次排水口７から接続部材４、縦樋３に排水されるものであるが、一次排水口７が落ち葉等により詰まって軒樋１内において水位が上がると、二次排水口８から内管５に排水されることになり、この結果、軒樋１の水位が上がっても軒樋１の上縁から外部にオーバーフローすることがないものである。
【００１８】
一方、寒冷地において冬期に軒樋１内で水が凍結して膨張しても、軒樋１内において弾性を有する内管５が弾性変形して、凍結による膨張を吸収するものであり、この結果、軒樋１が水の凍結による膨張で破損するのが防止されるものである。
【００１９】
ところで、図４乃至図６に示す参考例のように、内管５を二次排水口８から挿入すると共に内管５の上端部の係止部９を二次排水口８の開口上端に係止するものにおいては、内管５をごみ除け部６の二次排水口８から挿入するのみで簡単に取付けることができるとともに、下方に抜けないように取付けることができ、また、内管５の取り外しも二次排水口８から上方に引き抜くのみで係止部９の係止を解除して簡単に取り外すことができるものである。
【００２０】
【発明の効果】
上記のように本発明の請求項１記載の発明にあっては、軒樋の排水部に曲がっている接続部材を介して縦樋を接続した軒樋の排水構造であって、縦樋及び曲がっている接続部材内に縦樋や接続部材よりも径の小さい弾性を有する内管を挿入し、縦樋及び曲がっている接続部材の内面と弾性を有する内管の外面との間に軒樋の排水部から流れる通水用の隙間を形成してあるので、寒冷地において冬期に縦樋及び曲がっている接続部材内で水が凍結して膨張しても、軒樋及び曲がっている接続部材内において弾性を有する内管が弾性変形して、凍結による膨張を吸収することができて接続部材や縦樋が水の凍結による膨張で破損するのがヒータ無しで防止できるものであり、また、内管は弾性を有しているので、接続部材が曲がっているにもかかわらず内管を変形させて簡単に挿入することができて施工性が向上するものである。
【００２１】
また、内管の軒樋側の端部を軒樋の底部よりも上方に突出させてあるので、軒樋の排水部から排水される雨水は通常時内管の上端部の外周面と排水部の内縁部との間から接続部材及び縦樋内に排水されるが、排水部が落葉などで詰まった場合は、排水部よりも上方に突出した内管の上開口から内管内に排水されることになり、この結果、軒樋内において水位が上がっても軒樋の上端縁から外にオーバーフローで流出するのを防止できるものである。
【００２２】
また、軒樋の排水部に軒樋の底部よりも上方に突出するごみ除け部を設け、このごみ除け部の側部に一次排水口を設けると共に、ごみ除け部の上端部に二次排水口を設け、該二次排水口に内管の端部を接続してあるので、通常時はごみ除け部によりごみ除けをしながら一次排水口から接続部材及び縦樋に排水されるが、一次排水口が落ち葉などで詰まった場合は、軒樋内で水位が上がって、二次排水口から二次排水口に接続した内管に排水されるものであって、簡単な構成で、内管の上端部をごみ除け部に接続支持できるとともに、軒樋の排水部から排水される雨水が通常時内管の上端部の外面と排水部の内縁部との間から接続部材及び縦樋内に排水され、排水部が落葉などで詰まった場合は、排水部よりも上方に突出した内管の上開口から内管内に排水されることになり、この結果、軒樋内において水位が上がっても軒樋の上端縁から外にオーバーフローで流出するのを防止できるものである。
【図面の簡単な説明】
【図１】  本発明の一実施形態の断面図である。
【図２】  同上の拡大断面図である。
【図３】  同上の分解斜視図である。
【図４】  参考例の断面図である。
【図５】同上の拡大断面図である。
【図６】  同上の分解斜視図である。
【符号の説明】
１  軒樋
１ａ  底部
２  排水部
３  縦樋
４  接続部材
５  内管
６  ごみ除け部
７  一次排水口
８  二次排水口
９  係止部
【図１】
0004296630.tif 000002
【図２】
0004296630.tif 000003
【図３】
0004296630.tif 000004
【図４】
0004296630.tif 000005
【図５】
0004296630.tif 000006
【図６】
0004296630.tif 000007